(57)【要約】  本発明の或る態様によれば、二次面２００を照明し、それによって、照明された前記二次面からの反射を介して間接照明を供給するための照明装置１００が提供される。前記照明装置は、光源と、前記光源からの光をコリメートするよう構成されるコリメータと、コリメートされた前記光の少なくとも一部を、前記二次面に向かう方向範囲に向け直すよう構成される再方向付け手段１２０とを有する。向け直された光の強度は、前記二次面に対する垂線に対する前記向け直された光の方向の角度と共に、第１強度値から第２強度値まで増加する。前記第１強度値に対する前記第２強度値の比率は、25と400との間である。本発明は、前記照明装置の実現可能な照明エリアを増加させるために前記照明装置の光強度分布を成形するという考えを用いる。
2016500902.tif 000002
【特許請求の範囲】
【請求項１】
二次面を照明し、それによって、照明された前記二次面からの反射を介して間接照明を供給するための照明装置であり、
光源と、
前記光源からの光をコリメートするよう構成されるコリメータと、
コリメートされた前記光の少なくとも一部を、前記二次面に向かう方向範囲に向け直すよう構成される再方向付け手段とを有する照明装置であって、
前記光源、前記コリメータ及び前記再方向付け手段が、向け直された前記光の強度が、前記二次面に対する垂線に対する前記向け直された光の方向の角度と共に、第１強度値から第２強度値まで増加するように、構成され、
前記第１強度値に対する前記第２強度値の比率が、25と400との間である照明装置。
【請求項２】
前記再方向付け手段のビーム成形特性との組み合わせにおいて、前記コリメータによって供給されるコリメーション度が、前記向け直された光の強度が、前記二次面に対する垂線に対する前記向け直された光の方向の角度と共に、前記第１強度値から前記第２強度値まで増加するように、設定される請求項１に記載の照明装置。
【請求項３】
前記光源、前記コリメータ及び前記再方向付け手段が、前記照明装置の照明エリアの中央部に向いている方向に向け直された前記光が、第３強度値を持つように、構成され、前記第１強度値に対する前記第３強度値の比率が、3と4との間である請求項１又は２に記載の照明装置。
【請求項４】
前記照明装置が、前記向け直された光が、前記照明装置から前記二次面に沿って第２距離のところまで、前記二次面に当たるように、前記二次面から第１距離のところに取り付けられるよう適応され、前記第１距離に対する前記第２距離の比率が、少なくとも5である請求項１乃至３のいずれか一項に記載の照明装置。
【請求項５】
前記方向範囲が、少なくとも３０度乃至６０度の角度幅を規定する請求項１乃至４のいずれか一項に記載の照明装置。
【請求項６】
前記光源、前記コリメータ及び前記再方向付け手段が、前記向け直された光の光束の少なくとも50%が、前記二次面に対する垂線に対して４５度を超える角度を形成する方向から生じるように、構成される請求項１乃至５のいずれか一項に記載の照明装置。
【請求項７】
前記光源、前記コリメータ及び前記再方向付け手段が、前記向け直された光の強度Iが、
I(θ) = cos-2(θ)±D
という式に従って、前記二次面に対する垂線に対する前記向け直された光の方向の角度θと共に、前記第１強度値から前記第２強度値まで増加するように、構成され、Dが、前記向け直された光の最大強度Imaxの0%から20%までである偏差である請求項１乃至６のいずれか一項に記載の照明装置。
【請求項８】
前記再方向付け手段が、鏡面反射面である請求項１乃至７のいずれか一項に記載の照明装置。
【請求項９】
前記光源が、線形光源であり、前記再方向付け手段が、細長いボディであって、前記細長いボディの長手方向が、前記線形光源の長手方向に沿って延在する細長いボディを呈する請求項１乃至８のいずれか一項に記載の照明装置。
【請求項１０】
前記再方向付け手段が、環状の形状を持ち、前記環状の形状の中央部に、１つ以上の光源及び１つ以上のコリメータが配設される請求項１乃至９のいずれか一項に記載の照明装置。 
【請求項１１】
前記光源及び前記コリメータが、前記コリメータによってコリメートされた光の平均方向が、前記二次面に沿った向きにされるように、構成され、前記再方向付け手段が、前記コリメータ及び前記二次面に面するよう配設されている凸状反射面を有する請求項１乃至１０のいずれか一項に記載の照明装置。
【請求項１２】
前記光源、前記コリメータ及び前記反射面が、前記反射面によって向け直された光の強度が、前記反射面に対する前記向け直された光の方向の角度の増加に対して、前記第２強度値から前記第１強度値まで減少するように、構成される請求項１１に記載の照明装置。
【請求項１３】
前記光源が、グループで配設される複数の発光素子を有し、前記グループが、前記コリメータを介して前記反射面の異なる部分を照明するよう構成され、光強度に関して個々に制御可能である請求項１１又は１２に記載の照明装置。 
【請求項１４】
前記光源及び前記コリメータが、前記コリメータによってコリメートされた光の平均方向が、前記二次面に対して横方向に向けられるように、構成され、前記再方向付け手段が、前記二次面から見て外方に向くよう構成される凹状反射面を有する請求項１乃至１０のいずれか一項に記載の照明装置。
【請求項１５】
前記再方向付け手段が、全内部反射及び／又は屈折によって前記反射面からの光を向け直すための複数のプリズム素子を更に有する請求項１４に記載の照明装置。
【発明の詳細な説明】
【技術分野】
【０００１】
本発明は、広くは、間接照明のための照明装置の分野に関する。
【背景技術】
【０００２】
間接照明は、通常、オフィス又は同様の空間における全般照明として用いられる。間接照明は、（天井又は壁などの）二次面を照明し、それによって、二次面から照明されるべき物体（又は空間）の方への光の反射を供給することによって、達成される。従来の照明システムにおいては、反射ハウジング内の蛍光灯管が、間接照明を作成するために用いられている。しかしながら、このような蛍光灯管は、現在、発光ダイオード（ＬＥＤ）をベースにした照明装置などの、よりエネルギ効率の良い固体をベースにした代替物に置き換えられている。WO-2011/051925は、間接照明のための、ＬＥＤをベースにした照明装置を示している。前記照明装置は、ＬＥＤと、ＬＥＤから天井の方へ光を反射するための拡散反射器とを有する。
【発明の概要】
【発明が解決しようとする課題】
【０００３】
本発明の目的は、従来技術の照明装置によって得られるものより大きい領域を照明することが可能な照明装置を提供することである。本発明の目的はまた、二次面をより一様に照明することが可能な照明装置を提供することである。
【課題を解決するための手段】
【０００４】
これら及び他の目的は、独立請求項によって規定されているような照明装置によって達成される。好ましい実施例は、従属請求項によって規定されている。
【０００５】
本発明の或る態様によれば、二次面を照明し、それによって、照明された前記二次面からの反射を介して間接照明を供給するための照明装置が提供される。前記照明装置は、光源と、前記光源からの光をコリメートするよう構成されるコリメータと、コリメートされた前記光の少なくとも一部を、前記二次面に向かう方向範囲に向け直すよう構成される再方向付け手段とを有する。前記光源、前記コリメータ及び前記再方向付け手段は、向け直された光の強度が、前記二次面に対する垂線に対する前記向け直された光の方向の角度と共に、第１強度値から第２強度値まで増加するように、構成される。前記第１強度値に対する前記第２強度値の比率は、25と400との間である。
【０００６】
本発明者は、照明装置によって照明される二次面（例えば、天井又は壁）のエリアのサイズが、特定の領域を間接的に照明するための照明装置の数を決定することに気付いた。一般に、特定の領域を間接的に照明するために必要とされる照明装置の数を減らすように二次面のより大きいエリアを照明することが可能な照明装置を提供することは望ましいだろう。本発明は、前記照明装置の達成可能な照明エリアを増加させるために前記照明装置の光強度分布を成形するという考えを用いる。前記第２強度値が、前記第１強度値と比べて２５乃至４００倍高いので、前記照明装置は、（例えば、二次面の）より大きいエリアを、前記エリアにより近い距離から照明する一方で、依然として、前記二次面の一様性が高められた照明を供給するよう構成され得る。前記二次面の一様性が高められた照明及び増加した照明到達範囲（より大きい照明エリア）を供給するために、前記二次面に対する垂線とより大きい角度を形成する方向に発せられる光は、前記二次面に対する垂線とより低い角度を形成する方向に発せられる光と比べて、より高い強度を持ち得る。より大きい前記照明エリアは、特定のエリアを照明するために必要とされる照明装置の数を減らす。
【０００７】
更に、光源、コリメータ及び再方向付け手段の使用は、より精密に、前記照明装置の出力の範囲を定める（又は前記照明装置の出力を成形する）ことを可能にする。前記光をコリメートすることによって、前記光源からの光は、前記再方向付け手段に投射されることができ、それによって、前記再方向付け手段に当たる光の方向が、より予測可能になる。次いで、前記再方向付け手段のビーム成形特性を規定することによって、前記光強度分布が、望ましいように成形され得る。前記ビーム成形特性は、光学素子の特性であって、前記光学素子を通過する光ビームの方向及び形状に影響を及ぼす特性である。
【０００８】
前記二次面は、前記照明装置の一部ではないが、前記照明装置が、間接照明を生成するために取り付けられる（且つ使用されている）ときに、前記照明装置と協働するだろうことは理解されるだろう。更に、本明細書における、前記二次面に対して規定される前記照明装置の位置及び前記光の方向は、前記照明装置が取り付けられる（且つ使用されている）ときに、適用できることは理解されるだろう。
【０００９】
実施例によれば、前記再方向付け手段のビーム成形特性との組み合わせにおいて、前記コリメータによって供給されるコリメーション度は、前記向け直された光の強度が、前記二次面に対する垂線に対する前記向け直された光の方向の角度と共に、前記第１強度値から前記第２強度値まで増加するように、設定され得る。前記コリメータは、特定の光強度分布を供給することができ、前記特定の光強度分布は、前記再方向付け手段のビーム成形特性によって、更に、成形されると共に、向け直される。前記コリメーション度は、前記コリメータによって得られるビーム角度広がりを表わす尺度であり、通常、半値全幅（ＦＷＨＭ）として表現される。
【００１０】
実施例によれば、前記光源、前記コリメータ及び前記再方向付け手段は、前記照明装置の照明エリアの中央（又は中間）部に向いている方向に向け直された光が、第３強度値を持つように、構成され得る。前記第１強度値に対する前記第３強度値の比率は、3と4との間であり、これは、前記二次面の照明の一様性を更に高め、それによって、一様性が高められた光が前記照明装置によって供給されるという点で、有利である。
【００１１】
例えば、前記照明装置は、前記向け直された光が、前記照明装置から（前記二次面に沿って）第２距離のところまで、前記二次面に当たるように、前記二次面から第１距離のところに取り付けられるよう適応され得る。更に、前記光源、前記コリメータ及び前記再方向付け手段は、前記照明装置から前記第２距離の半分のところで前記二次面に当たるために向け直された光が、前記第３強度値を持つように、構成され得る。
【００１２】
実施例においては、前記第１距離に対する前記第２距離の比率は、少なくとも5、好ましくは、少なくとも7、最も好ましくは、少なくとも10であり得る。前記第１距離に対する前記第２距離のより大きい比率は、前記照明装置が、前記二次面の特定の照明エリアのために前記二次面のより近くに取り付けられ得ることを意味する。他の例においては、それは、前記照明装置の照明エリアが、前記二次面に対する特定の取り付け距離に対して、増加させられ得ることを意味する。前記第１強度値に対する前記第２強度値の比率が、25と400との間であるので、上で規定したような前記第1距離に対する前記第２距離の比率を持つ一方で、依然として、前記二次面の一様性が高められた照明を供給することが可能である。
【００１３】
実施例によれば、（前記向け直された光の）前記方向範囲は、少なくとも３０度乃至６０度、好ましくは、少なくとも２０度乃至７０度、更により好ましくは、少なくとも１０度乃至８０度の角度幅（又はビーム広がり）を規定し得る。より広いビーム広がりは、より大きい照明エリアを供給する。前記第１強度値に対する前記第２強度値の比率が、25と400との間であるので、このようなビーム広がりを持つ一方で、依然として、前記二次面の一様性が高められた照明を供給することが可能である。
【００１４】
実施例においては、前記光源、前記コリメータ及び前記再方向付け手段は、前記向け直された光の光束の少なくとも50%が、前記二次面に対する垂線に対して４５度を超える、好ましくは、５５度を超える、最も好ましくは、７０度を超える角度を形成する方向から生じるように、構成されることができ、それによって、高められた照明一様性を持つ前記照明装置の照明エリアのより大きい到達範囲を可能にする。
【００１５】
実施例によれば、前記光源、前記コリメータ及び前記再方向付け手段は、前記向け直された光の強度Iが、
I(θ) = cos-2(θ)±D          （式１）
という式に従って、前記二次面に対する垂線に対する前記向け直された光の方向の角度θと共に（即ち、前記角度θの関数として）前記第１強度値から前記第２強度値まで増加するように、構成されてもよく、ここで、Dは、前記向け直された光の最大強度Imaxの0%から20%までである偏差である。本実施例は、前記光強度が、発光方向の範囲にわたってより精密に規定されるので、前記二次面の照明の一様性が更に高められるという点で、有利である。好ましくは、前記偏差は、前記向け直された光の最大強度Imaxの、0%から１０%まで又は0%から５%までなどの、0%から１５%までであり得る。
【００１６】
実施例においては、前記再方向付け手段は、鏡面反射面であってもよく、それによって、前記反射面によって出力される光分布のより精密な成形を可能にする。鏡面反射面は、拡散反射面と比べると、より予測可能なように光を反射する。
【００１７】
実施例によれば、前記光源は、線形光源であってもよく、前記再方向付け手段は、細長いボディであって、前記細長いボディの長手方向が、前記線形光源の長手方向に沿って延在する細長いボディを呈してもよく、これは、前記照明装置が、従来の蛍光灯管に取って代わるよう用いられ得る点で、有利である。
【００１８】
別の実施例によれば、前記再方向付け手段は、環状の形状を持っていてもよく、前記環状の形状の中央部（又は中間）に、１つ以上の光源及び１つ以上のコリメータが配設され、それによって、環状（円形）照明エリアを供給する。
【００１９】
実施例においては、前記光源及び前記コリメータは、前記コリメータによってコリメートされた光の平均方向が、前記二次面に沿った向きにされるように、構成されてもよく、前記再方向付け手段は、前記コリメータ及び前記二次面に面するよう配設されている凸状反射面を有してもよい。換言すれば、前記コリメータによってコリメートされた光は、主に（又は平均においては）、前記二次面に沿って伝搬する。従って、光は、前記光源によって発され、次いで、前記二次面に沿った（例えば、前記二次面と実質的に平行な）方向にコリメートされる。前記コリメートされた光の少なくとも一部は、前記コリメータに面する前記凸状反射面に当たり、前記二次面に向かう方向範囲に反射される。
【００２０】
実施例においては、前記光源、前記コリメータ及び前記反射面は、前記反射面によって反射された光の強度が、前記反射面に対する前記光の方向の角度の増加に対して、前記第２強度値から前記第１強度値まで減少するように、構成され得る。従って、前記反射面に対してより高い角度を持つ方向に反射された光は、前記照明装置が前記二次面に取り付けられるときに、前記反射面に対してより低い角度を持つ方向に反射された光と比べて、前記二次面に対する垂線に対してより高い角度で、即ち、前記照明装置からより遠く離れたところで、前記二次面に当たり、前記反射面に対してより低い角度を持つ方向に反射された光は、前記二次面に対する垂線に対してより低い角度で、即ち、前記照明装置のより近くで、前記二次面に当たる。 
【００２１】
実施例によれば、前記光源は、グループで配設される複数の発光素子を有してもよく、前記グループは、前記コリメータを介して前記反射面の異なる部分を照明するよう構成され、光強度に関して個々に制御可能であってもよい。 本実施例は、前記照明装置の光強度分布が、前記二次面の形状、前記照明装置と前記二次面との間の取り付け距離、及び前記二次面に対する前記照明装置の向きなどに関する、前記照明装置の特定の取り付けに、前記光強度分布を適応させるために、調整され得る点で、有利である。とりわけ、前記発光素子のグループは、それらが、反射された光の異なる立体角をもたらすように、前記反射面の異なる部分を照明するよう構成され得る。従って、前記異なる立体角の光が、光強度に関して個々に制御され得る。
【００２２】
本発明の別の実施例によれば、前記光源及び前記コリメータは、前記コリメータによってコリメートされた光の平均方向が、前記二次面に対して（実質的に垂直などの）横方向に向けられるように、構成されてもよく、前記再方向付け手段は、前記二次面から見て外方に向くよう構成される凹状反射面を有してもよい。
【００２３】
換言すれば、前記コリメータによってコリメートされた光は、平均において、前記二次面に対して横方向に伝搬する。従って、光は、前記光源によって発され、次いで、前記二次面に対して横方向の方向にコリメートされる。前記コリメートされた光の少なくとも一部は、次いで、前記凹状反射面であって、好ましくは、前記光源に面すると共に、前記二次面から見て外方に向く前記凹状反射面に当たり、前記二次面に向かう方向範囲に反射される。更に、前記反射面及び前記コリメータは、光透過性固体光学体に含まれてもよい。前記光学体は、前記光学体に入る前記光源からの光をコリメートし（それによって、前記コリメータを供給し）、前記光学体／空気の界面において、全内部反射、ＴＩＲによって、前記コリメートされた光を反射する（それによって、前記反射面を供給する）よう適応される屈折率を持ち得る。本実施例は、前記コリメータ及び前記反射器が、単一の光学体に含まれることができ、それによって、前記照明装置内の構成要素の数を減らし、これは、製造及び再生利用を容易にする点で、有利である。
【００２４】
実施例においては、前記再方向付け手段は、全内部反射及び／又は屈折によって前記凹状反射面からの光を向け直すための複数のプリズム素子を更に有してもよい。プリズム素子により、前記反射面によって反射された光の一部は、前記プリズム素子を通過せずに出力される光とは異なる方向に（例えば、より前記二次面の方へ）向け直され、それによって、前記照明装置の光強度分布を広げると共に、前記照明装置によって照明されるエリアを増加させる。
【００２５】
実施例においては、前記コリメータ及び前記凹状反射面は、前記反射面によって反射された光の強度が、前記反射面に対する前記光の方向の角度の増加に対して、前記第１強度値から前記第２強度値まで増加するように、構成され得る。従って、前記反射面に対してより低い角度を持つ方向に反射された光は、前記照明装置が前記二次面に取り付けられるときに、前記反射面に対してより高い角度を持つ方向に反射された光と比べて、前記二次面に対する垂線に対してより高い角度で、即ち、前記照明装置からより遠く離れたところで、前記二次面に当たることができ、前記反射面に対してより高い角度を持つ方向に反射された光は、前記二次面に対する垂線に対してより低い角度で、即ち、前記照明装置のより近くで、前記二次面に当たる。
【００２６】
本発明は、請求項において列挙されている特徴の全てのあり得る組み合わせに関することに注意されたい。本発明の他の目的、特徴及び利点は、以下の詳細な明細、図面及び添付の請求項の研究時に、明らかになるだろう。当業者は、本発明の様々な特徴は、以下に記載されている実施例以外の実施例を作成するために組み合わされることができることを理解する。
【００２７】
ここで、本発明のこの及び他の態様を、本発明の実施例を示している添付の図面を参照して、より詳細に記載する。
【図面の簡単な説明】
【００２８】
【図１】本発明の実施例による照明装置を示す。
【図２】二次面に取り付けられた図１に示されている照明装置の断面の概略図である。
【図３】図２に示されている照明装置の反射器の拡大図である。
【図４】本発明の実施例による照明装置の光強度分布の図を示す。
【図５】本発明の実施例による照明装置の光強度分布の図を示す。
【図６】本発明の別の実施例による照明装置を示す。
【図７】図６に示されている照明装置の出射面の拡大図である。
【図８】本発明の実施例によるプリズム素子を示す。
【図９】本発明の実施例によるプリズム素子を示す。
【図１０】本発明の実施例によるプリズム素子を示す。
【発明を実施するための形態】
【００２９】
図は、全て、概略的なものであり、必ずしも、縮尺通りではなく、一般に、本発明を説明するために必要である部分しか示しておらず、他の部分は、省かれている場合があり、又は単に示唆されている場合がある。
【００３０】
本発明の実施例による照明装置を、図１、２及び３を参照して説明する。図１は、照明装置１００の斜視図であり、図２は、二次面２００を照明するよう取り付けられたときの照明装置１００の断面である。図３は、照明装置１００の反射器の拡大図である。
【００３１】
照明装置１００は、二次面２００からの反射を供給し、それによって、オフィスなどの空間又は物体の間接照明を供給するために、二次面２００を照明するよう適応される。二次面２００は、例えば、間接的に照明されるべき空間の天井又は壁であり得る。照明装置１００は、例えば吊り下げ形ランプとして、二次面に取り付けられるよう適応され得る。それ故、照明装置１００は、二次面２００から垂れ下がるために吊り下げ手段又は他の取り付けシステム（図示せず）を備えていてもよい。
【００３２】
（以下では照明エリアと呼ぶ）照明装置１００によって照明されるエリアのサイズが、或る領域を照明するために必要とされる照明装置の総数を決定する。単一の照明装置によって得られる照明エリアが大きければ大きいほど、より少ない照明装置しか必要とせず、照明装置は、よりまばらに配設され得る。更に、オフィス照明においては、多くの場合、空間を節約するために（二次面２００から20乃至60cmのところなどの）二次面２００の相対的に近くに照明装置１００を取り付けることが望ましい。空間の相対的に一様な間接照明を供給するために二次面２００の相対的に一様な照明を供給することも望ましい。例示的な例として、照明装置１００が二次面２００から40cmのところに取り付けられ、照明エリアが照明装置１００から4mのところに延在する場合には、二次面２００に対する垂線に対して約７９度及び８４度の間の角度を持つ方向に発される光が、照明装置１００から約2m乃至4mのところで二次面に当たる。換言すれば、７９度乃至８４度のビーム方向範囲が、照明エリアの約半分をカバーする。従って、好ましくは、光束の約半分が、より一様な照明を供給するためにこの方向範囲内に発され得る。
【００３３】
照明装置１００は、各々が、光源と、光源からの光をコリメートするよう構成されるコリメータとを含む照明モジュール１１０を１つ以上有する（簡単にするために、図１に示されている複数の同様に構成される照明モジュールのうちの１つが参照符号１１０で示されている）。照明モジュール１１０は、支持構造部３００に取り付けられ得る。照明モジュール１１０は、コリメート光、即ち、実質的に平行なビーム３０を出力する。コリメート光は、厳密に平行である必要はなく、市販のコリメータの使用時には或る程度の偏差が予想されることは理解されるだろう。市販のコリメートＴＩＲレンズは、例えば、６度のＦＷＨＭを持ち得る。光源は、例えば、発光ダイオード（ＬＥＤ）であってもよく、コリメータは、放物面反射器又はレンズなどのビーム成形光学部品を有してもよい。照明装置１００は、コリメート光の少なくとも一部を、その再方向付け反射面１２１を介して方向範囲に反射するよう構成される凸状反射器１２０の形態の再方向付け手段を更に有する。反射器１２０に当たる光ビーム１３０は、図３に示されているように、再方向付け反射面１２１によって、再方向付け反射面１２１（の接線４００）に対して角度αを持つ方向に向け直される。反射器１２０の凸状反射面１２１は、照明モジュール１１０（又はコリメータ）及び二次面２００に面するよう配設される。反射器１２０は、好ましくは、鏡面反射器であることができ、反射器１２０の凸状湾曲は、反射面１２１内のファセット又は滑らかな凸状面によって形成され得る。反射器１２０は、細長い反射器ストリップであって、その細長い側部の１つに隣接して配置される複数の照明モジュール１１０を備える細長い反射器ストリップであってもよい。他の例においては、反射器は、環状反射器であって、前記反射器の中央に配置される複数の照明モジュールを備える環状反射器であってもよい。
【００３４】
照明装置１００は、照明モジュール１１０から出力されるコリメート光が、二次面２００に沿った向きにされるように、二次面２００から第１距離（又は取り付け距離）d1のところに、取り付けられるよう適応され得る。第１距離d1は、コリメータ（又は照明モジュール１１０）の光軸からのような、照明装置の中央から、二次面２００に伸び得る。照明装置１００は、照明装置１００の少なくとも一方の側に伸びる第２距離（又は最大照明距離）d2まで二次面２００を照明するよう構成される。従って、反射器１２０によって反射された光は、第２距離d2までの二次面２００に当たり、前記第２距離d2は、照明装置１００から二次面２００に沿って伸びる。例えば、第２距離d2は、照明装置の中央部から、例えば、図２に示されているように、反射器１２０の、照明モジュール１１０に面する縁端部から伸び得る。しかしながら、照明装置１００のサイズは、照明エリアのサイズに対して無視できるほど小さいかもしれず、それによって、第２距離d2に対して無視できるほど小さいかもしれない。更に、第２距離d2は、第１距離d1の少なくとも５倍、好ましくは、少なくとも７倍、最も好ましくは、少なくとも１０倍であり得る。例えば、第１距離d1は、40cmであってもよく、第２距離d2は、4mであってもよい。
【００３５】
照明モジュール１１０及び凸状反射器１２０は、二次面２００に対する垂線に対して最小角度θminをなす第１方向１３１、及び二次面２００に対する垂線に対して最大角度θmaxをなす第２方向１３２によって境界付けられる方向範囲にわたって、二次面２００の方へ光が発せられるように、構成される。最小角度θminは、照明エリアを増加させるために、好ましくは、３０度未満、更により好ましくは、０度にほぼ等しいような１０度未満であり得る。更に、最大角度θmaxは、ほぼ、tan-1(d2/d1)であり得る。照明エリアの中央部に向いている第３方向１３３に反射された光は、0.5×d2の距離のところで二次面２００に到達する。この第３方向１３３は、二次面２００に対する垂線に対して中間角度θ1/2をなす。中間角度θ1/2は、ほぼ、tan-1(d2/2d1)であり得る。二次面２００に対する反射光の方向の角度θは、再方向付け反射面１２１に対する反射光の角度αの減少に対して、増加する。
【００３６】
光源、コリメータ及び反射器１２０は、反射器１２０によって反射された光の強度が、再方向付け反射面１２１に対する光の方向の角度αの増加に対して、第２強度値から第１強度値まで減少するように、構成される。従って、鏡面反射性凸状面１２１の湾曲との組み合わせにおける、照明モジュール１１０によって供給されるコリメーション度は、第１方向１３１に発される光に対する（最小強度値であり得る）第１強度値から、第２方向１３２に発される光に対する（最大強度値であり得る）第２強度値まで、光の強度が増加するように、選ばれる。更に、凸状反射面１２１の反射率は、反射光の望ましい光強度分布を得るために（様々な堆積技術を用いて）適応され得る。従って、反射器１２０によって反射された光の強度は、二次面２００に対する垂線に対する光の方向の角度と共に、第１強度値から第２強度値まで増加し、それによって、二次面２００に対する垂線に対してより高い角度を持つ方向に発される光に対しては、二次面２００に対する垂線に対してより低い角度を持つ方向に発される光と比べて、より高い光強度が得られる。
【００３７】
第１強度値に対する第２強度値の比率は、好ましくは、50と200との間、又は75と150との間のような、25と400との間である。例えば、第１距離d1に対する第２距離d2の比率が、10である場合には、第１強度値に対する第２強度値の比率は、二次面２００の一様性が高められた照明を供給するために、約100であり得る。更に、第１強度値に対する第３強度値（第３方向１３３に発される光に対する強度値）の比率は、3と4との間であり得る。好ましくは、発される光の強度は、1/cos2とほぼ等しい角度依存性をもって、第１強度値から第２強度値まで増加することができ、それによって、照明装置１００の光分布の一様性を更に高める。換言すれば、光強度Iは、式１に従う、二次面２００に対する垂線に対する反射光の方向の角度θの関数として変化し得る。
I(θ) = cos-2(θ)±D          （式１）
【００３８】
Dは、反射器１２０によって反射された光の最大光強度Imaxの、0%から10%までのような0%から20%までである偏差である。
【００３９】
図４は、二次面２００に対する垂線に対する発される光の方向の角度θに関して、均等目盛りで、照明装置１００によって発される光の強度Iを示している図である。図５は、二次面２００に対する垂線に対する発される光の方向の角度θに関して、対数目盛りで、照明装置１００によって発される光の強度Iを示している図である。図４及び５において、実線は、本発明の実施例による照明装置の試作品の光強度分布を表しており、破線は、望ましい理論光強度分布を表している。見て分かるように、試作品の光強度分布は、基本的に、望ましい理論光強度分布に従い、幾らかの小さな偏差しか伴わない。偏差は、光強度Iが対数目盛りで示されるような図５において、よりはっきりと図示されている。図４及び５の比較は、７０度未満の角度θにおいて光強度分布を規定するチャレンジを図示しており、望ましい光強度分布からの小さい数値的偏差は、望ましい光強度分布からのパーセント偏差にかなり大きな影響を及ぼす。
【００４０】
実施例（図示せず）においては、照明装置は、上で規定したものと同様に構成され、光源、コリメータ及び反射器の他のセットと比べて反対方向（又は他の進路）において二次面を照明するよう方向付けられ得る、光源、コリメータ及び反射器の付加的なセットを有してもよく、それによって、照明エリアを更に増加させる（２倍にする）。
【００４１】
図６を参照して、本発明の別の実施例を説明する。本実施例による照明装置は、第１、第２及び第３強度値を含む上記の光強度分布を得るための他の再方向付け手段を有する。
【００４２】
図６は、二次面１０からの反射を供給し、それによって、オフィスなどの空間又は物体の間接照明を供給するために、二次面１０を照明するよう適応されている照明装置１を示している。照明装置１は、例えば吊り下げ形ランプとして、二次面１０に取り付けられるよう適応され得る。それ故、照明装置１は、二次面１０から垂れ下がるために吊り下げ手段又は他の取り付けシステム（図示せず）を備えていてもよい。照明装置１は、少なくとも１つの光源３と、光を出力するための出射面５及び光源３からの光を出射面５の方へ反射するための反射面４を有する再方向付け手段を持つ光学構造部２とを有する。光源３は、発光ダイオード（ＬＥＤ）などの、固体をベースにした光源であり得る。光源３は、光学構造部２に当接して、又は少なくとも近接して配設され得る。
【００４３】
光学構造部２（又は光学体）は、好ましくは、透明なプラスチック又はガラスなどの光透過性材料で作成される固体ボディであり得る。好ましくは、光学構造部２の屈折率は、光源３が光学構造部２に当接するよう配設される場合には光源／光学構造部の界面において、光源３と光学構造部２との間に空隙が存在する場合には空気／光学構造部の界面において、屈折率遷移（又は移行部）を供給するように適応され得る。光源３からの光が光学構造部２に入るとき、それは、より狭いビームになるよう屈折される。従って、屈折率遷移が、光源３からの光をコリメートするための手段（又はコリメータ）を供給する。他の例においては、又は補足するものとして、照明装置１において、放物面反射器又はレンズ（図示せず）などの、光源３からの光をコリメートするための他の手段が用いられてもよい。好ましくは、コリメート光のコリメーション度の半値全幅（ＦＷＨＭ）は、光源３からの光の大部分を反射面４上に投射するために、６０度乃至３０度の幅の中に、好ましくは、約４２度などの５０度乃至４０度の幅の中に含まれ得る。本実施例では、光源３及びコリメート手段は、コリメート手段によってコリメートされた光の平均方向が、二次面１０に対して横方向に向けられるように、構成される。
【００４４】
更に、光学構造部２の屈折率は、反射面における空気／光学構造部の界面において全内部反射（ＴＩＲ）を得るために適応され得る。従って、光源３からの光は、反射面４においてＴＩＲによって反射される。他の例においては、又は補足するものとして、反射面は、光源３からの光を反射するための反射フィルムなどを有してもよい。好ましくは、反射面４は、鏡面反射面であり得る。
【００４５】
反射面４は、湾曲していてもよく（例えば、凹状であってもよく）、好ましくは、反射光の特定の光強度分布を供給するように二次面から見て外方に向いてもよい。反射面４の湾曲との組み合わせにおける、（光が反射面４によって反射される前に）光をコリメートするための手段によって供給されるコリメーション度は、好ましくは、反射面４に対する反射光の方向の角度の増加に対して反射光の強度が増加するように、選ばれ得る。更に、反射面４の反射率は、反射光の望ましい光強度分布を得るために（例えば、様々な堆積技術を用いることによって）適応され得る。従って、反射器４によって反射される光の強度は、二次面１０に対する垂線に対する光の方向の角度と共に第２強度値まで増加し、それによって、二次面１０に対する垂線に対して（図２に図示されている角度θ2のような）より低い角度を持つ方向に発される光と比べて、二次面１０に対する垂線に対して（図２に図示されている角度θ1のような）より高い角度を持つ方向に発される光の場合は、より高い光強度が得られる。
【００４６】
好ましくは、反射面４の湾曲は、反射光の強度が、1/cos2とほぼ等しい角度依存性を持って増加するように、適応されてもよく、それによって、照明装置１の光分布の一様性を更に向上させる。換言すれば、光強度Iは、式１に従う、二次面１０に対する垂線に対する反射光の方向の角度θの関数として変化し得る。
I(θ) = cos-2(θ)±D          （式１）
【００４７】
Dは、反射面４によって反射された光の最大光強度Imaxの、0%から10%までのような0%から20%までである偏差である。
【００４８】
更に、湾曲反射面４は、光源３からの光をコリメートする役割を果たし得る。従って、光源３からの光は、反射面４によって２度目のコリメートをされる。好ましくは、反射面４によってコリメートされた光のコリメーション度のＦＷＨＭは、１５度未満であってもよく、好ましくは、１０度未満であってもよい。従って、反射面４によってコリメートされた光ビームは、（少なくとも）ほとんど平行であり得る。
【００４９】
出射面５は、好ましくは、出射面５を通して出力される光の屈折を減らすために、反射面４によって反射された光の主（又は平均）方向に対して横方向の（好ましくは、実質的に垂直な）面内に延在し得る。従って、本実施例においては、出射面５は、二次面に対する垂線と比較してわずかに傾斜している。
【００５０】
出射面５には、反射面４によって反射された光の一部を向け直すためのプリズム素子６が配設される。プリズム素子６は、再方向付け手段の一部である。プリズム素子６は、反射面４によって反射され、プリズム素子６を通過しない光により得られる光分布を、プリズム素子６を通過せずに出力される光と比べて二次面１０に対する垂線に対してより低い角度（例えば、図２に図示されている角度θ3）を持つ方向に光を向け直すことによって、補完するよう構成される。従って、プリズム素子６によって向け直された光は、プリズム素子６を通過せずに出射面５から出力される光により照明されるエリアと比べて、二次面１０の、照明装置１により近いエリアを照明するだろう。好ましくは、プリズム素子６によって向け直された光の大部分は、二次面１０に向けて方向範囲内に出力され、前記方向範囲は、二次面に対する垂線に対する角度幅を規定してもよく、前記角度幅は、０度乃至８０度の範囲内に、好ましくは、０度乃至７５度の範囲内に含まれている。更に、プリズム素子６を通過せずに出射面５を通して出力される光の大部分は、好ましくは、二次面１０に向けて方向範囲内に出力されることができ、前記方向範囲は、二次面１０に対する垂線に対する角度幅を規定してもよく、前記角度幅は、４５度乃至９０度の範囲内に、好ましくは、５５度乃至８５度の範囲内に、更により好ましくは、７０度乃至８５度の範囲内に含まれている。
【００５１】
好ましくは、再方向付け手段によって（即ち、反射面４及びプリズム素子６によって）向け直された光の強度は、二次面に対する垂線に対する光の方向の角度と共に、第１強度値から第２強度値まで増加する。第１強度値に対する第２強度値の比率は、25と400との間である。従って、反射面４の（湾曲、反射率及び向きなどの）ビーム成形特性及びプリズム素子６の（三角形状及び向きなどの）ビーム成形特性は、第１、第２（及び好ましくは第３）強度値によって規定される強度分布を供給するように選択される。
【００５２】
例によれば、照明装置１は、二次面１０から約40cmのところに吊り下げられてもよく、照明エリアは、照明装置１から2mのところにまで達し得る。その場合、プリズム素子６を通過せずに出射面５から出力された光は、照明装置１から1.5m乃至2m離れたところに達する照明エリアの４分の１をカバーすることができ、これは、二次面１０に対する出力光の７５度乃至７９度の角度範囲に対応する。角度範囲の観点からの照明エリアの残りの４分の３は、プリズム素子６によって向け直された光によってカバーされる。
【００５３】
ここで、図７乃至１０を参照すると、プリズム素子の実施例がより詳細に記載されている。
【００５４】
図７は、照明装置１によって出力される光の光路を図示している光学構造部４の出射面５の拡大図である。プリズム素子６ａ、６ｂを通して出力される光は、二次面の方へ屈折及び／又は反射される。プリズム素子６ａ、６ｂは、三角形状を持ち、出射面５と光学的接触する底面１７ａ、１７ｂ、及び底面１７ａ、１７ｂに対して傾斜している傾斜面１６ａ、１６ｂを有する。三角形状は、随意に、１つの直角を持ち得る。
【００５５】
本実施例においては、プリズム素子６ａは、図８に示されているように、ＴＩＲによって光を向け直すよう適応される（このようなプリズム素子は、ＴＩＲプリズム素子とも呼ばれ得る）。プリズム素子６ａの底面１７ａに対する傾斜面１６ａの角度α2は、傾斜面１６ａに対する光の入射角が、傾斜面１６ａにおいてＴＩＲを得るために十分に高いように適応される。プリズム素子６ａの底面１７ａが反射面から得られる光ビームに対して（少なくともほとんど）垂直であるようにプリズム素子６ａが方向付けられる（即ち、プリズム素子６ａの底面１７ａが、出射面６に対して平行に配設される）本例においては、傾斜面１６ａにおける入射角は、底面１７ａに対する傾斜面１６ａの角度α2と同じである。
【００５６】
更に、１つ以上のプリズム素子６ｂが、図９に示されているように、屈折によって光を向け直すよう適応され得る（このようなプリズム素子は、屈折プリズム素子とも呼ばれ得る）。プリズム素子６ｂの底面１７ｂに対する傾斜面１６ｂの角度α2は、傾斜面１６ｂに対する光の入射角が、傾斜面１６ａにおいて屈折を得る（且つＴＩＲを得ない）ために十分に低いように適応される。プリズム素子６ｂの底面１７ｂが、反射面によって反射された光に対して（少なくともほとんど）垂直である本例においては、入射角は、底面１７ｂに対する傾斜面１６ｂの角度α2と同じである。屈折プリズム素子６ｂから出力される光の望ましい方向は、屈折プリズム素子６ｂの屈折率に依存し、スネルの法則を用いて計算され得る。入射光に対する傾斜面１６ｂの好ましい角度α2は、α3 = α1-α2から計算されることができ、ここで、α1は、傾斜面１６ｂに対する垂線に対する屈折光の角度であり、α3は、入射光に対する屈折光の望ましい角度であり、α1とα2との間の関係は、スネルの法則によって与えられる。α2を増加させることにより、屈折光は、二次面に対する垂線に対してより低い角度を形成する（且つ入射光に対する屈折光の角度α3は増加する）。しかしながら、二次面に対する向け直された光の角度は、３０度未満ではないかもしれない。なぜなら、より高いα2は、（ＴＩＲプリズム素子６ａの場合のように）入射光が、その代わりに、傾斜面においてＴＩＲによって反射されることを、もたらし得るからである。従って、屈折プリズム素子６ｂは、好ましくは、光出力の、二次面に対してほぼ４０度から７５度までの角度範囲をカバーすることができ、ＴＩＲプリズム素子６ａは、光出力の、二次面に対してほぼ０度から４０度までの角度範囲をカバーすることができる。
【００５７】
実施例によれば、プリズム素子７は、図１０に示されているようにＴＩＲ及び／又は屈折が生じ得る（凹状のような）湾曲傾斜面８を持ち得る。凹面８は、方向範囲であって、入射光が単一のプリズム素子７によって前記方向範囲に向け直される方向範囲を増加させる。本実施例は、照明装置の光分布がより一様であるという点で、有利である。
【００５８】
再び図６を参照すると、本発明の他の実施例が記載されている。特定の色の光出力を得るために、光源３によって発される光の少なくとも一部を異なる波長に変換するよう、蛍光体（又は任意の他のタイプの波長変換材料）が配設され得る。例えば、ＬＥＤチップが、蛍光体に埋め込まれてもよく、且つ／又は蛍光体を有するスクリーンが、光源３に配設されてもよい。しかしながら、蛍光体の使用は、反射面４上に投射され、その後、出射面上に投射される光の色勾配をもたらし得る。例えば、黄色蛍光体及び青色光源３を用いると、反射面７の縁端部には、より低い相関色温度（ＣＣＴ）の光が投射され得る。異なるＣＣＴを持つ光線は、反射面によってコリメートされることから、実質的に同じ方向に向けられ、出射面５において位置が分かれる。換言すれば、ＣＣＴは、出射面５にわたって（即ち、出射面５における位置と共に）変化する。プリズム素子６の位置は、好ましくは、光出力を混ぜ合わせるように選択され得る。例えば、１つ以上のプリズム素子６は、二次面の、より低いＣＣＴの光が投射される領域上に、より高いＣＣＴの光を向け直し、それによって、光出力を色に関してより一様にするために、出射面５の、より高いＣＣＴの光が投射される位置に配置され得る。
【００５９】
本発明の実施例によれば、照明装置１は、好ましくは、２つのミラード半体（mirrored half）、即ち、図２に図示されているような、２つの反対側の主方向に光を発するための２つの同様に構成される半体を有し得る。従って、照明装置は、２つの反射面４、２つの出射面５であって、各々が前記出射面５に取り付けられるプリズム素子６のセットを持つ２つの出射面５を有し得る。好ましくは、単一の光透過性固体ボディが、両方のミラード半体を形成し得る。従って、ミラード半体は、前記ボディの中心において横方向に交わり得る。更に、同じ光源３が、両方の反射面４を照明するために利用されてもよく、前記ボディの中心において横方向に配設されてもよい。
【００６０】
照明装置１は、光源３の列と細長い光学構造部４とを有する線形照明装置であり得る。その場合には、プリズム素子６は、細長い光学構造部４に沿って長手方向に延在し、プリズム状断面を持っていてもよい。
【００６１】
出射面にプリズム素子が配設されないこと以外は、図６を参照して記載した実施例と同様の、別の実施例（図示せず）によれば、凹状反射面自体の湾曲が、反射器によって反射された光の強度が、二次面に対する垂線に対する光の方向の角度と共に、第１強度値から第２強度値まで増加するように、設計される。
【００６２】
本発明の実施例によれば、照明装置は、線形タイプのものであってもよく、照明装置の1m当たり少なくとも1800lmを発してもよい。これは、このような相対的に高い光出力は、特定のエリアを照明するための照明装置の数を減らす点で、有利である。
【００６３】
本発明の実施例を、図面において図示し、上記の説明において詳細に説明しているが、このような図及び説明は、説明的なもの又は例示的なものとみなされるべきであって、限定するものとみなされるべきではない。本発明は、開示されている実施例に限定されない。図面における図は、縮尺通りではないかもしれず、とりわけ、同じ図において照明装置及びその照明エリアの両方をはっきり図示するために図面において調節されている第２距離に対する第１距離は、縮尺通りではないかもしれないことは理解されるだろう。更に、照明装置のサイズに対する照明エリアのサイズは、同じ図において照明装置及びその照明エリアの両方をはっきり図示するために図面において調節されている。
【００６４】
請求項に記載の発明を実施する当業者は、図面、明細及び添付の請求項の研究から、開示されている実施例に対する他の変形を、理解し、達成し得る。請求項において、「有する」という用語は、他の要素又はステップを除外せず、単数形表記は、複数性を除外しない。特定の手段が、相互に異なる従属請求項において引用されているという単なる事実は、これらの手段の組み合わせが有利になるように使用されることができないと示すものではない。請求項におけるいかなる参照符号も、範囲を限定するものとして解釈されてはならない。
【図１】
2016500902.tif 000003
【図２】
2016500902.tif 000004
【図３】
2016500902.tif 000005
【図４】
2016500902.tif 000006
【図５】
2016500902.tif 000007
【図６】
2016500902.tif 000008
【図７】
2016500902.tif 000009
【図８】
2016500902.tif 000010
【図９】
2016500902.tif 000011
【図１０】
2016500902.tif 000012
【国際調査報告】
2016500902.tif 000013
2016500902.tif 000014
2016500902.tif 000015